(57)【特許請求の範囲】
【請求項１】
昇降式移動足場の矩形状の作業床の四隅に設けられた作業床貫通金具に挿入されることで立設される手摺枠であって、
前記作業床の縁部両端に設けられた一対の作業床貫通金具の設置間隔と同じ長さを有し、両端に一対の巾木貫通金具が設けられた一対の巾木と、
前記一対の巾木貫通金具及び前記一対の作業床貫通金具それぞれの貫通孔を上下に一致させて前記巾木を前記縁部上部に載置した状態で、上下方向に移動可能に前記貫通孔に挿入される下部手摺柱と、板状又は棒状の連結金具により縦方向に、前記下部手摺柱と連結された上部手摺柱とからなる一対の手摺柱と、
前記一対の手摺柱それぞれに設けられ、前記下部手摺柱と上部手摺柱とを連結する固定スリーブと、
を備え、
前記一対の巾木の一方、及び、前記一対の手摺柱の一方は、前記四隅に設けられた作業床貫通金具のうち、前記一対の作業床貫通金具に対して設けられ、
前記一対の巾木の他方、及び、前記一対の手摺柱の他方は、前記四隅に設けられた作業床貫通金具のうち、前記一対の作業床貫通金具以外の作業床貫通金具に対して設けられ、
前記一対の巾木のうち、一方の巾木の前記巾木貫通金具の高さと、他方の巾木の前記巾木貫通金具の高さとは、前記上部手摺柱の太さ分だけ異なり、
前記上部手摺柱は、前記下部手摺柱の直上に自立可能であるとともに、前記下部手摺柱の上部近傍に水平方向に穿たれた下部手摺柱連結孔の中心軸回りに前記作業床側にのみ回転可能であり、
前記下部手摺柱は、前記作業床貫通金具および前記巾木貫通金具それぞれの貫通孔を通して上下方向に移動可能かつ所定高さ位置で固定可能であり、
前記下部手摺柱の上端部の作業床側側面には、前記上部手摺柱の前記作業床側への回転時に前記連結金具を収容できるだけの縦方向の切り欠き部が設けられ、
前記固定スリーブは、
前記下部手摺柱が前記巾木貫通金具および前記作業床貫通金具に沿って下方に移動するときに、前記巾木貫通金具の上端に接触するように、前記下部手摺柱の上端部と前記上部手摺柱の下端部との外周に設けられ、前記上部手摺柱の自立状態を固定する第１の位置と、前記第１の位置より上方の第２位置との間で、前記上部手摺柱および前記下部手摺柱に対して上下方向に移動可能であり、前記第１の位置にあるとき前記上部手摺柱の前記作業床側への回転を不可にし、前記第２位置にあるとき前記上部手摺柱の前記作業床側への回転を可能にする、
ことを特徴とする、作業床上に折り畳むことができる手摺枠。
【請求項２】
前記下部手摺柱連結孔には水平方向に下部連結ボルトが挿入されており、
前記連結金具は、前記下部手摺柱連結孔の中心軸回りで回転自在に前記下部連結ボルトに連結されていることを特徴とする、請求項１に記載の手摺枠。
【請求項３】
前記固定スリーブは前記作業床とは反対側の下方に開口部を有することを特徴とする、請求項１または請求項２に記載の手摺枠。
【請求項４】
前記連結金具は、その上端部に設けられた連結金具上部連結孔と、下端部に設けられた連結金具下部連結孔とを有し、
前記上部手摺柱は、その下部近傍に水平方向に穿たれた上部手摺柱連結孔を有し、
前記固定スリーブはその両側面に縦方向に長い長孔を２個上下方向に並べて備えており、下側の長孔と前記下部手摺柱連結孔と前記連結金具下部連結孔とに水平方向に挿入された下部連結ボルトと、上側の長孔と前記上部手摺柱連結孔と前記連結金具上部連結孔とに水平方向に挿入された上部連結ボルトによって、前記固定スリーブが前記下部手摺柱の上端部と前記上部手摺柱の下端部との外周に取り付けられていることを特徴とする、請求項３に記載の手摺枠。
【請求項５】
前記下部連結ボルトは、前記下側の長孔に沿って、前記縦方向へ移動可能であり、
前記上部連結ボルトは、前記上側の長孔に沿って、前記縦方向へ移動可能であり、
前記固定スリーブは、
前記下部連結ボルトおよび前記上部連結ボルトが、前記下側の長孔および前記上側の長孔の上側端部に位置するとき、前記開口部の上端と、前記下部手摺柱の上端部とが接触することで、前記上部手摺柱の前記作業床側への回転を不可にし、
前記下部連結ボルトおよび前記上部連結ボルトが、前記下側の長孔および前記上側の長孔の下側端部に位置するとき、前記下部手摺柱の上端部が、前記開口部の上端より下方に位置して、前記開口部の上端と、前記下部手摺柱の上端部とが接触しなくなることで、前記上部手摺柱の前記作業床側への回転を可能にする、
請求項４に記載の手摺枠。
【請求項６】
前記固定スリーブの両側面の長孔の方向が斜め縦方向であることを特徴とする、請求項５に記載の手摺枠。
【請求項７】
前記下部手摺柱は、前記作業床貫通金具を通して上下方向に移動後に所定高さ位置で固定するための固定金具を挿入する固定孔を有することを特徴とする、請求項１から６までのいずれかに記載の手摺枠。
【請求項８】
請求項１から７までのいずれかに記載の手摺枠を備えることを特徴とする、接地面に車輪を備えるとともに所定場所に移動かつ固定可能な矩形の基台フレームと、スライダークランクを介して伸縮自在に積み重ねられた複数段の水平フレームと、作業床フレームと、作業床を順に備える昇降式移動足場。
【発明の詳細な説明】
【技術分野】
【０００１】
本発明は、内装及び外装工事等に使用される昇降式移動足場の作業床の縁部に設置される手摺枠および昇降式移動足場に関する。
【背景技術】
【０００２】
昇降式移動足場は、垂直方向の伸縮が可能であるため、その高さを低くして保管や運搬ができるとともに、所定場所まで水平方向に移動させ、その場所で固定した後に、所定高さまで昇降式移動足場を伸張し、その高さを固定することによって、所定場所の所定高さにおいて、内装及び外装工事等の作業をすることができる。
【０００３】
このような昇降式移動足場の水平方向の移動と固定に関しては、昇降式移動足場の接地面にブレーキロック付き車輪を備えるとともにアウトリガーでさらに固定することによってなされることが多い。そして、垂直方向の伸縮と固定に関しては、作業台を直接上下し固定するか、又は、折り畳み可能なアームの上に作業台を設置してそのアームを伸縮し固定することによってなされる。
【０００４】
このような昇降式移動足場を所定場所において伸張した後に、作業員が高所で作業をすることになる。したがって、作業員の高所からの落下を防止するために、作業台には手摺が必要となる。
【０００５】
また、このような昇降式移動足場は垂直方向の伸縮が可能であるため、昇降式移動足場を保管する際には、その高さを低くすることによって、高さ方向の収納スペースを節約することができる。
【０００６】
ここで、昇降式移動足場は、一般建築物内での使用と移動を可能にすべく、その大きさが制限されている。特に、昇降式移動足場の幅は、一般建築物内の扉の幅（約０．９ｍ）による制約や、エレベーターに積載可能な大きさという制約から、０．６ｍ以下に制限されている。
【０００７】
特許文献１には、接地面に車輪を備える矩形の基体フレーム（枠体）の上に、複数段の水平フレーム（枠体）をＸ字形のスライダークランクを介して順に積み重ね、そして、昇降用タラップ（梯子）を備える昇降式移動足場が開示されている。そのＸ字形のスライダークランクは折り畳みと伸張ができるものであり、そのＸ字形のスライダークランクを手動で伸縮することによって、作業床の上下を可能とし、そしてその高さを段階的に固定することが可能である。ここで、昇降用タラップはスライダークランクを伸張した後の各フレームの間の支柱の役割も果たしている。
【０００８】
図１及び図２は、特許文献１で開示された技術に基づき実用化されている昇降式移動足場の一例である。(a)が正面図、(b)が右側面図である。なお、本明細書においては、昇降式移動足場の縁側の正面から見た図面を「正面図」という。以下同じである。
【０００９】
図１は昇降式移動足場２００を所定場所に固定した状態で、３つのＸ字形のスライダークランク５０のすべてを垂直方向に伸張したときの状態を示し、図２は同じく所定場所に固定した状態で、３つのＸ字形のスライダークランク５０のすべてを垂直方向に折り畳んだときの状態を示す。
【００１０】
この昇降式移動足場２００は、接地面に車輪を備えるとともに所定場所に移動かつ固定可能な矩形の基体フレーム５と、複数段の伸縮自在な水平フレーム４０からなる。ここでは、最上段の水平フレーム４０は作業床用フレームを兼ねており、最上段の水平フレーム４０には、網目状板や縞付き板などからなる作業床が張られるとともに手摺等が設置されて、作業台６０が形成されている。
【００１１】
矩形の基体フレーム（枠体）５の四隅にはパイプ状の支柱７が立設され、その下端部にはブレーキロック付き車輪６が取り付けられている。また、基体フレームの各支柱７の側面には、先端にジャッキベース７５を備えたアウトリガー７６が取り付けられ、基体フレームの各支柱７を軸として水平方向に回動しうるように設置されている。この昇降式移動足場２００の移動は、車輪６のブレーキロックを外し、ジャッキベース７５を持ち上げた状態のまま、昇降式移動足場２００を水平方向に押すことによってなされる。この移動は、通常、水平フレーム４０を垂直方向に折り畳んだ状態でなされる。そして、所定の場所まで移動した後、車輪６のブレーキロックを掛けるとともに、ジャッキベース７５を接地させることで所定の場所で固定する。
【００１２】
矩形の基体フレーム５の上には、間隔をあけて、３段の矩形状の水平フレーム４０が設けられ、そして、各フレーム間には、２本の斜材を交叉し軸着してなるＸ字形のスライダークランク５０が縦方向に２列立設されている。ここでは、基体フレーム５は最下段の水平フレームを兼ねているが、基体フレーム５とは別に最下段の水平フレーム４０を設けてもよい。基体フレーム５とは別に最下段の水平フレーム４０を設けた場合には、基体フレーム５と最下段の水平フレーム４０とを分離できる。したがって、昇降式移動足場２００の移動・運搬の際には、水平フレームを含む上部部材を基体フレームから取り外すことができるので、作業が楽になるとともに、保管の際にはそのスペースを有効に使うことができる。
【００１３】
最上段の水平フレーム４０の上には、作業台６０が設置される。最上段の水平フレーム４０の四隅には、手摺柱６２が設置され、そして、隣接する手摺柱６２の間には手摺バー６３が取り付けられ、さらに四辺の上には巾木６４が取り付けられて、作業台６０の組み立てが完成する。なお、作業台６０の組み立ては、移動前に行っても良いし、移動後に行っても良い。ここでは、最上段の水平フレーム４０は作業床用フレームを兼ねているが、最上段の水平フレーム４０とは別に作業床用フレームを設けてもよい。最上段の水平フレーム４０とは別に作業床用のフレームを設けた場合には、作業床用フレームに網目状板や縞付き板などからなる作業床が張られるとともに手摺等が設置されて、作業台が形成されることになる。この場合、昇降式移動足場２００の保管・運搬時には、作業床を含めて作業台６０の全体も取り外すことができる。
【００１４】
この昇降式移動足場２００の伸縮は、各フレーム間に設けられたＸ字形のスライダークランク５０の２本の斜材を内側又は外側に向けて水平方向にスライドさせることによってなされる。そして、Ｘ字形のスライダークランク５０が上方向に伸張したときは、その上側の水平フレーム４０が上昇し、逆に、Ｘ字形のスライダークランク５０が下方向に収縮したときは、その上側の水平フレーム４０が下降する。
【００１５】
そして、昇降式移動足場２００を伸張させるときは、Ｘ字形のスライダークランク５０を上方向に伸張させた後に、各フレーム間の両側面にそれぞれ立設可能に取り付けられた、長材７０と横材７１からなる支柱６９で上部の水平フレーム４０を支持することによって上部の水平フレーム４０の高さが固定される。この操作を、最上段の水平フレーム４０が所定の高さに上昇するまで、各段のスライダークランク５０において繰り返す。逆に、昇降式移動足場２００を折り畳むときは、まず長材７０と横材７１からなる支柱６９を内側に押し倒すことによって上部の水平フレーム４０の支持を外し、その後、その段のＸ字形のスライダークランク５０を下方向に収縮させて、上部の水平フレーム４０の高さを下げ、留め具５２によってその高さが固定される。この操作を、最上段の水平フレーム４０が所定の高さに下降するまで、各段のスライダークランク５０において繰り返す。
【００１６】
最下段のＸ字形のスライダークランク５０を例にとって、Ｘ字形のスライダークランク５０の構造を詳述すると、その２本の斜材の交叉部がピン５１によって軸着されるとともに、２本の斜材の左端がそれぞれ上下のフレームの長辺に軸着されている。したがって、２本の斜材の右端がそれぞれ上下のフレームの長辺に沿って水平方向に移動かつ固定可能な構造であり、スライダークランク５０を上方向に伸張した後は、上下のフレームの間の両側面にそれぞれ立設可能に取り付けられた支柱６９によって、上部の水平フレーム４０を支持することによって上部の水平フレーム４０を所定高さで固定することができる。また、スライダークランク５０を下方向に収縮した後は、留め具５２を上方に回動させて内側に固定することによって、上側の水平フレーム４０をその高さで固定することができる。
【００１７】
なお、この例では、この昇降式移動足場２００の最上段の水平フレーム４０は作業床用フレームを兼ねているため、最上段のＸ字形のスライダークランク５０を上方向に伸張した後に最上段の水平フレーム４０を支持するための支柱６９の長材７０は、最上段の水平フレーム４０の下部に設けられた横部材４１を介して最上段の水平フレーム４０を支持することによって最上段の水平フレーム４０を所定高さで固定する。
【００１８】
これに対して、最上段の水平フレーム４０とは別に作業床用のフレームを設けた場合には、最上段のＸ字形のスライダークランク５０を上方向に伸張した後に最上段の水平フレーム４０を支持するための支柱６９の長材７０は、最上段の水平フレーム４０を直接支持することによって最上段の水平フレーム４０を所定高さで固定することができるので、最上段の水平フレーム４０の下部に横部材４１を設ける必要はない。
【００１９】
このようにして、作業員は、この昇降式移動足場２００を所定の場所まで移動させ、その場所で昇降式移動足場２００を固定した後、各段のＸ字形のスライダークランク５０の伸張作業をすることによって、最上段の水平フレーム４０を所定高さまで上昇させ固定した後、昇降用タラップを兼ねるフレーム間の支柱６９を登って作業台６０に上がり、内装及び外装工事等の作業をすることになる。
【００２０】
上記においては、３段の水平フレーム４０を有する昇降式移動足場２００について説明したが、図３に示すように、４段の昇降可能な水平フレーム４０を有する昇降式移動足場２００も実用化されている。なお、図３に示す昇降式移動足場２００は、４段の水平フレーム４０を有する点、基体フレーム５が水平フレーム４０よりも大きい点及び最下段の支柱６９が傾斜して設けられている点を除いて、図１および図２に示した昇降式移動足場２００と同様の構成および機能を有する。
【００２１】
昇降式移動足場の最上部には作業台が設置され、作業員が高所で作業をすることになるため、作業員の高所からの落下を防止するために、作業台には手摺を設置する必要となることは前述したとおりである。
【００２２】
しかし、所定場所での作業を終えて昇降式移動足場を別の場所での作業のために運搬したり、あるいは倉庫等に保管したりすることがある。このとき、手摺を作業台に設置したままでは、運搬時および保管時にそのスペースの関係で手摺が邪魔になる場合には、手摺を作業台から一旦取り外した上で、別途に昇降式移動足場本体を運搬または保管することになる。しかし、取り外した手摺は別途に管理されることとなるので、紛失しやすい。取り外した手摺を別途に管理していることを忘れて、昇降式移動足場本体のみを内装及び外装工事等の作業場所に運搬してしまうこともあり得る。また、手摺を作業台から取り外す手間と、運搬後あるいは保管後に手摺を作業台に再度取り付ける手間がかかる。さらに、昇降式移動足場本体と手摺を別々に運搬する場合には、運搬に必要な労力が倍増する。なお、最上段の水平フレームとは別に作業床用フレームを設けた場合には、手摺を含む作業台の全体を昇降移動足場から取り外すことができるが、この場合でも、昇降式移動足場の運搬時および保管時にはスペースの関係で手摺を作業台から取り外すことがあり、問題点が残る。
【００２３】
これらの問題点は手摺を作業台から取り外すことに起因することから、これらの問題点を解決するためには、昇降式移動足場での作業後に手摺を作業台から取り外す必要がない昇降式移動足場とすればよい。
【００２４】
特許文献２には、昇降用扉を兼ねる手摺部材を同一面内に収納可能な平面状の手摺枠を作業床のそれぞれの縁部に立設固定することが可能であって、かつ、作業床のそれぞれの縁部に立設された手摺枠の下枠を回転軸として手摺枠の全体を作業床の外側に大きく回転可能な構造を有する昇降式移動足場が開示されている。これは、作業時には手摺枠を作業床のそれぞれの縁部に垂直に立設固定した後に、平面状の手摺枠に収納されていた手摺部材を引き出すことによって、手摺枠と手摺部材とで作業台の四囲に手摺を形成することができるから、作業員の安全を図ることができる。一方、昇降式移動足場の運搬時および保管時には昇降用扉を兼ねる平面状の手摺枠に手摺部材を収納した上で、立設された手摺枠の下枠を回転軸として手摺枠の全体を大きく外側に回転させて昇降式移動足場本体に横付けて収納することができる。したがって、昇降式移動足場での作業後に手摺を作業台から取り外さなくても、手摺枠を昇降式移動足場本体に横付けて収納した後は昇降式移動足場本体とほぼ同じスペースに収まるから、その運搬時および保管時に手摺を作業台から取り外さなくてもよいのである。
【００２５】
図４は、特許文献２で開示された手摺枠を、図３で示される昇降式移動足場の手摺として取り付けたときの、作業時における実施態様を示す。(a)が正面図、(b)が右側面図である。
【００２６】
この昇降式移動足場の手摺枠６６は、２本の手摺柱６２とこれらの間を水平に連結する２本の手摺バー６３から平面状に形成されており、そして、巾木６４が手摺枠６６の下枠として取り付けられている。この手摺枠６６はその下枠を回転軸６８として外側に大きく回転できる。２つの手摺枠６６が作業床のそれぞれの縁部５６ａに垂直に立設固定されており、そして、平面状の手摺枠６６と同一面内に収納されていた手摺部材６５がそれぞれ横方向に９０゜回転されて引き出され、対向する手摺枠６６の手摺柱６２に留められている。この結果、作業床のそれぞれの端部５６ｂの上方にも手摺が設けられたことになり、２つの手摺枠６６と２つの手摺部材６５によって、作業台６０の四囲に手摺が形成されている。ここで、引き出された手摺部材６５は手摺としての役割に加えて、タラップへの作業員の昇降用扉としての役割を果たす。
【００２７】
図５は、平面状の手摺枠６６を外側に大きく回転させて昇降式移動足場本体２０１ａに横付けて収納する手順を示す説明図（右側面図）である。
【００２８】
昇降式移動足場での作業が終了した後に、この昇降式移動用足場を他の地点に運搬したり保管したりする際には、昇降式移動足場のスライダークランクを折り畳んで作業台の高さを低くする。そして、対向する手摺枠６６の手摺柱６２に留められていた手摺部材６５を手摺柱６２から外し、横方向に９０゜逆に回転させて手摺枠６６の平面内に収納した後に、手摺枠６６の全体を上に移動することによって、作業床のそれぞれの縁部に垂直に立設されていた手摺枠６６の固定を外す。その後、手摺枠６６の下枠に設けられた回転軸６８の軸回りにそれぞれの手摺枠６６を下方に大きく外回転させることによって昇降式移動足場本体２０１ａに横付けて収納する。
【００２９】
このようにして、手摺枠は運搬時及び保管時には昇降式移動足場本体に横付けて収納されているが、作業時には、昇降式移動足場を所定場所まで移動させ、その場所で固定した後、昇降式移動足場本体に横付けて収納されていた手摺枠を上方に大きく外回転させて、手摺枠を作業床のそれぞれの縁部に垂直に立設固定した後に、平面状の手摺枠に収納されていた手摺部材を引き出すことによって、手摺枠と手摺部材とで作業台の四囲に手摺が形成される。よって、作業員は作業台の上で安全に作業をすることができる。
【先行技術文献】
【特許文献】
【００３０】
【特許文献１】実開平２−１４７５４５号公報
【特許文献２】特開２０１０−２７５８１６号公報
【発明の概要】
【発明が解決しようとする課題】
【００３１】
しかしながら、引用文献２に開示された手摺枠を備える昇降式移動足場には、次に示す問題点がある。
【００３２】
図６と図７は、昇降式移動足場での作業員による手摺枠の回転作業を示す右側面図である。
【００３３】
図６では、昇降移動式足場を所定の作業場所に移動後に、その場所で固定した後、昇降式移動足場本体に横付けして収納されていたそれぞれの手摺枠６６を、作業員が手摺枠の下枠を回転軸として上方に大きく逆回転させて、手摺枠を作業床のそれぞれの縁部に垂直に立設しようとする手順を示している。
【００３４】
ここでは、昇降式移動足場本体に横付けして収納されていた手摺枠６６を上方に大きく逆回転させることができるだけの作業スペースに加えて、手摺枠を逆回転させる作業員９０のための作業スペースが、作業床の両方の縁部側に必要となる。したがって、作業スペースが十分でない廊下などの狭い場所ではこの作業を行うことができない。以上は、昇降式移動足場本体に横付けして収納されていたそれぞれの手摺枠６６を上方に大きく回転させて、作業床のそれぞれの縁部に垂直に立設しようとするときの作業スペースについて説明したが、逆に、作業床のそれぞれの縁部に垂直に立設固定されていた手摺枠６６を下方に大きく回転させて昇降式移動足場本体に横付けて収納しようとするときの作業スペースについても同様の問題が生じる。
【００３５】
また、手摺枠６６を回転時または逆回転時には、手摺枠はその重みで外側に倒れかかるから、作業員９０が不注意で手摺枠６６を掴んでいた手を離してしまうと、図７に見るごとく、手摺枠６６が作業員９０の側に倒れてきて作業員９０が怪我をする恐れがある。
【００３６】
このように、昇降用扉を兼ねる手摺部材６５を同一面内に収納可能な平面状の手摺枠６６を作業床のそれぞれの縁部に立設固定することが可能であって、かつ、それぞれの手摺枠６６を手摺枠の下枠を回転軸として作業床の外側に回転可能な構造を有する昇降式移動足場は、昇降式移動足場での作業後にその都度、手摺を作業台から取り外す必要がないものの、その作業性と安全性の観点から課題が多い。
【００３７】
本発明は、作業後に作業台から取り外す必要がなく、その作業性と安全性に優れる手摺枠と、この手摺枠を組み込んでなる昇降式移動足場を提供することを目的とする。
【課題を解決するための手段】
【００３８】
本発明者らは、作業台から取り外す必要がなく、作業性と安全性に優れる手摺と昇降式移動足場について、種々に検討を重ねた。その結果、次の(A)〜(G)の知見を得た。
【００３９】
(A) 昇降式移動足場の運搬時及び保管時にはスペースの関係で手摺が邪魔になる場合があるが、手摺部材を作業後にその都度取り外して別途に運搬または保管することは手摺部材の紛失等の問題がある。また、手摺部材の取り外しと取付けの両方の手間や運搬の労力を考えると作業効率の点からも問題がある。また、昇降式移動足場の運搬時及び保管時にはその占有スペースをできるだけコンパクトにするのがよい。したがって、手摺部材を作業台から取り外すことなく昇降式移動足場の運搬及び保管をすることができるとともに、運搬時及び保管時にはコンパクトになる昇降式移動足場とするのがよい。そのためには、手摺部材を取り外すことなく、昇降式移動足場の本体に収納することができるのがよい。
【００４０】
(B) 図６に示す手摺枠はその組み立てに大きな作業スペースが必要となり、また、図７に見るごとく、手摺枠６６が作業員９０にぶつかって怪我をする事故が発生する恐れがあるが、これは、立設された手摺枠をその下枠を回転軸とし、手摺枠の高さを半径として外側に大きく回転させるからである。したがって、立設された手摺枠を内側にのみ、すなわち、作業床側にのみ回転可能とすればよい。
【００４１】
ただし、前述したとおり、昇降式移動足場の幅は、一般建築物内での使用と移動を可能にすべく、一般建築物内の扉の幅（約０．９ｍ）による制約や、エレベーターに積載可能な大きさという制約から、０．６ｍ以下に制限されているので、作業床の幅も０．６ｍ以下に制限される。これに対して、手摺枠の高さは通常１ｍ程度は必要とされる。
【００４２】
図８は、昇降式移動足場の作業床の縁部に立設された手摺枠をその下枠を回転軸として、作業床側に回転させたときの状況を示す右側面図である。作業床側に回転させた手摺枠が反対側の縁部に立設された手摺枠に接触するので、途中までしか回転できない。
【００４３】
(C) 作業床側に回転させた手摺枠が反対側の縁部に立設された手摺枠に接触することなく回転させるためには、手摺枠の手摺柱６２を下部手摺柱６２ａと上部手摺柱６２ｂを縦方向に連結して構成し、上部手摺柱６２ｂの高さを作業床の幅を下回る長さとした上で、上部手摺柱６２ｂを下部手摺柱６２ａの直上に自立可能にするとともに、上部手摺柱６２ｂを作業床側にのみ回転可能にすればよい。ここで、手摺柱を作業床側にのみ回転可能にするのは、手摺枠がその重みで作業床の外側に不意に倒れないようにするためであり、もって、作業床の外側にいる作業員が手摺枠から不意に手を離しても手摺枠がその作業員に倒れかからないようにするためである。
【００４４】
上部手摺柱６２ｂを作業床側にのみ回転可能にするためには、下部手摺柱６２ａと上部手摺柱６２ｂを板状又は棒状の連結金具８０により縦方向に連結し、かつ、上部手摺柱６２ｂは下部手摺柱６２ａの上部近傍に水平方向に穿たれた下部連結孔８１の中心軸回りに作業床側にのみ回転可能とし、そして、下部手摺柱６２ａの上端部は上部手摺柱６２ｂの作業床側への回転時に板状又は棒状の連結金具８０を収容できるだけの縦方向の切り欠き部８３を作業床側の側面に設ければよい。上部手摺柱６２ｂを下部連結孔８１の中心軸回りに回転可能とするためには、下部連結孔８１にピンやリベット等を挿入すればよいし、あるいは下部連結孔８１の間にボルトを挿入しこのボルトを回転軸としてもよい。ここで、上部手摺柱６２ｂは、切り欠き部８３が下部手摺柱６２ａの上端部の作業床側に設けられているので作業床側には回転できるが、作業床とは反対側には切り欠き部が存在しないので、作業床の反対側には回転できない。
【００４５】
また、下部手摺柱６２ａと上部手摺柱６２ｂを縦方向に連結してなる手摺柱６２の連結金具８０を作業床の直上に位置するように縦方向に移動させることができれば、上部手摺柱６２ｂを作業床側に回転させたときに、回転後の上部手摺枠６２ｂは作業床側に折り畳まれる形になるから、回転後の上部手摺枠６２ｂを昇降式移動足場の本体に収納することができる。後述するように、作業床の上に巾木を設ける場合には、連結金具８０を巾木の直上に位置するように縦方向に移動させることができれば、上部手摺柱６２ｂを作業床側に回転させたときに、回転後の上部手摺枠６２ｂは巾木の上に折り畳まれる形になるから、回転後の上部手摺枠６２ｂを昇降式移動足場の本体に収納することができる。
【００４６】
下部手摺柱６２ａと上部手摺柱６２ｂを縦方向に連結してなる手摺柱６２の連結金具８０を作業床又は巾木の直上に位置するように縦方向に移動させるためには、立設している手摺柱６２を作業床の縁部両端に設けられた作業床貫通金具５７を通して上下方向に移動可能かつ所定位置で固定可能とすればよい。こうすれば、下部手摺柱６２ａは作業床貫通金具５７を通して縦方向に移動させることができ、そして、手摺柱６２の連結金具８０が作業床又は巾木の直上に位置するように下部手摺柱６２ａを固定することができる。
【００４７】
このようにすれば、上部手摺柱６２ｂを作業床側に９０゜回転したときに、上部手摺枠６２ｂは作業床側に折り畳まれる形になるから、手摺部材を作業台から取り外すことなく、上部手摺枠６２ｂを昇降式移動足場の本体に収納することができる。
【００４８】
よって、昇降式移動足場の運搬時および保管時に手摺部材の紛失等の問題がなくなり、また、手摺部材の取り外しと取付けの手間や運搬の労力が不要となるので作業効率の点からも都合がよい。昇降式移動足場の運搬時及び保管時にはコンパクトになるので、占有スペースも少なくて済む。また、引用文献２に開示された手摺枠を備える昇降式移動足場についての課題も一挙に解決することができる。なお、作業床の縁部に立設する手摺枠６６としては、たとえば、下部手摺柱６２ａと上部手摺柱６２ｂが縦方向に連結されてなる手摺柱６２の隣接する２本と、これらの隣接する２本の上部手摺柱６２ｂの間を水平に連結する１本又は複数本の手摺バー６３から平面状に形成されたものを用いることができる。
【００４９】
図９は、上部手摺柱６２ｂを作業床側に折り畳んで収納することができる手摺枠（本発明）の一例である。(a)は右側面図、(b)は背面図を示す。そして、図１０は、図９における連結金具８０（図９(a)および(b)において円で囲まれた部分）の拡大図である。(a)は右側面図、(b)は背面図を示す。
【００５０】
この手摺枠６６は、下部手摺柱６２ａと上部手摺柱６２ｂが板状の連結金具８０により縦方向に連結されてなる手摺柱の２本と、２本の上部手摺柱６２ｂの間を水平に連結する２本の手摺バー６３から平面状に形成されている。換言すれば、この手摺枠６６は、２本の上部手摺柱６２ｂとこれらの間を水平に連結する２本の手摺バー６３から平面状に形成された上部手摺枠６６ｂと、２本の上部手摺柱６２ｂの直下に連結金具８０により縦方向に連結されてなる２本の下部手摺柱６２ａから平面状に形成されている。ここでは、上部手摺枠６６ｂにはその同一面内に妻面手摺となる手摺部材６５が収納されており、手摺枠６６が作業床の縁部５６ａのそれぞれに垂直に立設された後、上部手摺枠６６ｂに収納されている手摺部材６５を横方向に９０゜回転して引き出した後、対向して立設される手摺枠６６の上部手摺柱６２ｂに留めることで、作業床の両端部５６ｂの上方に妻面手摺が設けられることになる。また、手摺枠６６を作業床の縁側に立設する際には、巾木６４を手摺枠６６の下枠として備えることができる。このとき、上部手摺枠６６ｂの上部手摺柱６２ｂは巾木の上に折り畳むことで、昇降式移動足場の本体に収納することができる。
【００５１】
板状の連結金具８０は、下部手摺柱６２ａと上部手摺柱６２ｂを縦方向に連結するものである。下部手摺柱６２ａは、その上端近傍に水平方向に穿たれた下部手摺柱連結孔８１を有するとともに水平方向に下部連結ボルト８４ａが挿入されており、そして、上部手摺柱６２ｂは、その下端近傍に水平方向に穿たれた上部手摺柱連結孔８２を有するとともに水平方向に上部連結ボルト８４ｂが挿入されており、下部連結ボルト８４ａと上部連結ボルト８４ｂとの間を、下部手摺柱連結孔８１の中心軸回りと上部手摺柱連結孔８２の中心軸回りの両方で回転自在に連結している。なお、ここでは、上部手摺柱６２ｂを下部手摺柱６２ａの直上に自立可能にするための断面コの字状の固定スリーブ８５が、連結金具８０で連結された下部手摺柱６２ａと上部手摺柱６２ｂの両端部近傍の外周に取り付けられている。固定スリーブ８５の形状と機能については、後述する。
【００５２】
図１１は、この手摺枠を図３で示される昇降式移動足場の作業床のそれぞれの縁部に巾木を介して取り付け、スライダークランクの全てを折り畳んだときの右側面図であり、立設状態の手摺枠が作業床側に折り畳まれる際の手順(A)〜(D)を示す。そして、図１２は、図１１における連結金具（図１１(B)および(C)の円で囲まれた部分）の右側面拡大図であり、上部手摺柱を(B)自立状態から(C)収納状態へと回転するときの手順を示す。
【００５３】
図１１の(A)は昇降式移動足場の作業台の上での作業終了時の手摺枠の状態を示している。ここでは、左右２つの手摺枠６６が、それぞれ、長手巾木（図示せず）を介して、作業床の左右の縁部に垂直に立設されている。作業床の縁部に取り付けられる長手巾木は手摺枠６６の下枠としても機能する。さらに、作業床の端部５６ｂには、短手巾木６４ｂが設けられている。それぞれの手摺枠６６は、下部手摺柱６２ａと上部手摺柱６２ｂが連結金具８０により縦方向に連結されてなる手摺柱を備えている。そして、下部手摺柱６２ａは縁部の長手巾木（図示せず）の両端に設けられた巾木貫通金具５８と、作業床の縁部両端に設けられた作業床貫通金具５７に通されて、作業時の手摺枠としての高さ位置で固定されている。
【００５４】
図１１の(B)は、立設状態の一方（左側）の手摺枠の２本の下部手摺柱６２ａを下方に移動させ、所定位置で固定したときの状態を示している。このときの所定位置とは、次工程(c)で上部手摺柱を作業床側に９０゜右回転させたときに、上部手摺枠６６ｂの上部手摺柱６２ｂが短手巾木６４ｂの上に折り畳まれて昇降式移動足場の本体に収納される位置をいう。
【００５５】
図１１の(C)は、左側の２本の上部手摺柱６２ｂを作業床側に９０゜右回転させて、左側の上部手摺枠６６ｂを作業床側に折り畳んだときの状態を示している。これで、一方（左側）の上部手摺枠６６ｂの上部手摺柱６２ｂが短手巾木６４ｂの上に折り畳まれて昇降式移動足場の本体に収納されたことになる。
【００５６】
図１１の(D)は、他方（右側）の手摺枠の２本の下部手摺柱６２ａを下方に移動し所定位置で固定した後に、右側の２本の上部手摺柱６２ｂを作業床側に９０゜左回転させて、右側の上部手摺枠６６ｂの上部手摺柱６２ｂを作業床側に折り畳んだときの状態を示している。このときの所定位置とは、右側の上部手摺柱６２ｂを作業床側に９０゜左回転させたときに、短手巾木６４ｂの上に折り畳まれた左側の上部手摺柱６２ｂの上に、さらに右側の上部手摺柱６２ｂが折り畳まれる位置をいう。これで、両方（左側および右側）の上部手摺枠６６ｂが昇降式移動足場の本体に収納されたことになる。
【００５７】
(D) 下部手摺柱６２ａの直上に、連結金具８０で連結された上部手摺柱６２ｂを自立可能にするため、筒状又は断面コの字形状の固定スリーブ８５を備えることができる（図１０参照）。この固定スリーブ８５は、下部手摺柱６２ａの上端部と上部手摺柱６２ｂの下端部の両端部近傍の外周に取り付けられており、固定スリーブ８５を下部手摺柱６２ａと上部手摺柱６２ｂの連結部の外周を上下させることによって、上部手摺柱６２ｂの回転と自立を切り替えることができる。すなわち、固定スリーブ８５が下部手摺柱６２ａと上部手摺柱６２ｂの連結部の下方に位置するときは、上部手摺柱６２ｂが固定スリーブ８５によりロックされて回転できないので、上部手摺柱６２ｂの自立状態を固定することができる。これに対して、固定スリーブ８５を連結部の上方の位置に移動させると、上部手摺柱６２ｂは固定スリーブ８５によるロックが外れて右回転できるようになる（図１２参照）。よって、上部手摺枠６６ｂを作業床側に折り畳むことが可能となる。下部手摺柱６２ａの上端部の右側（作業床側）には切り欠き部８３が設けられているので、板状の連結金具８０は作業床側へ右回転できるが、下部手摺柱６２ａの上端部の左側（作業床とは反対側）へ左回転できないので、上部手摺枠６６ｂが作業床の反対側に倒れかかることはない。
【００５８】
ここでは、固定スリーブ８５は、その側面のそれぞれに縦方向に長い長孔を２個上下方向に並べて備えており、下側の長孔と下部手摺柱連結孔とに水平方向に挿入された下部連結ボルトと、上側の長孔と上部手摺柱連結孔とに水平方向に挿入された上部連結ボルトによって、固定スリーブが下部手摺柱６２ａの上端部と上部手摺柱６２ｂの下端部の両端部近傍の外周に取り付けられている。そして、作業床の反対側の下方には開口部８８を有している。開口部８８の形状と機能については、後述する。なお、側面の長孔８６は縦方向でもよいが、斜め縦方向に設けると上部手摺柱６２ｂのがたつきをなくすことができるので好ましい。
【００５９】
(E) 手摺枠６６を作業床の縁側に立設する際には、巾木６４を手摺枠６２の下枠として備えることができる（図１１参照）。図１１では、巾木貫通金具５８を両端に設けた長手巾木を作業床の縁部に設置した後に、作業床の縁部両端に設けられた作業床貫通金具５７と巾木貫通金具５８の両方に下部手摺柱６２ａを縦方向に通すことによって、長手巾木を手摺枠の下枠として作業床の縁部に設置している。このとき、作業床の両端部に取り付けられる短手巾木６４ｂは、長手巾木の両端に設けられた巾木貫通金具５８の外面に、短手巾木を固定できる巾木固定金具５９を設けて、対向する２つの巾木固定金具５９の間に嵌め込むことによって設置することができる。
【００６０】
巾木貫通金具５８を両端に設けた長手巾木の代わりに、巾木貫通金具５８を両端に設けた短手巾木を作業床の端部に設置した後に、作業床の縁部両端に設けられた作業床貫通金具５７と巾木貫通金具５８の両方に下部手摺柱６２ａを縦方向に通すことによっても、短手巾木を作業床の両端部に設置することができる。このとき、作業床の縁部に取り付けられる長手巾木は、短手巾木の両端に設けられた巾木貫通金具５８の外面に、長手巾木を固定できる巾木固定金具５９を設けて、対向する２つの巾木固定金具５９の間に嵌め込むことによって、長手巾木を手摺枠６２の下枠として備えることができる。
【００６１】
あるいは、作業床の縁部両端に設けられた作業床貫通金具５７を上方に延長し、この延長部の外面に、短手巾木を固定できる巾木固定金具５９と長手巾木を固定できる巾木固定金具５９をそれぞれ設けて、対向する２つの巾木固定金具５９の間にそれぞれ嵌め込むことによっても、作業床の両端部に短手巾木を、そして、作業床の両縁部に長手巾木を設置することができる。この場合も、長手巾木を手摺枠６２の下枠として備えることができる。
【００６２】
(F) 下部手摺柱は作業床の縁部両端に設けられた作業床貫通金具を通して上下方向に移動した後に所定高さ位置で固定するためには、たとえば、作業床貫通金具と下部手摺柱の両方に固定孔を穿っておき、これらの両方の孔に固定金具を挿入すればよい。固定金具は作業床貫通金具に取り付けてもよいが、このとき、固定金具にバネを取り付けておけば、バネの付勢で固定金具を挿入することができる。
【００６３】
(G) 作業床の端部の手摺としては、対向する手摺枠の手摺柱の間に手摺バーの１本又は複数本を水平又は斜めに取り付けることでよい。あるいは、作業床の縁部５６ａのそれぞれに垂直に立設される手摺枠６６の上部手摺枠６６ｂの同一面内に妻面手摺となる手摺部材６５を収納させたものを用いることができる。この上部手摺枠６６ｂに収納されている手摺部材６５は、手摺枠６６を作業床の縁部に立設後に横方向に９０゜回転して引き出した後、対向して立設される手摺枠６６の上部手摺柱６２ｂに留めることができる。この結果、作業床の両端部５６ｂの上方に妻面手摺が設けられることになる。この結果、作業台６０の四囲に手摺が形成されることになる。ここで、作業床の端部の手摺は、手摺としての役割に加えて、タラップへの作業員の昇降用扉としての役割を果たす。
【００６４】
(H) 昇降式移動足場の作業床は、最上段の水平フレーム上に直接、網目状板や縞付き板などを張ることで形成する場合と、最上段の水平フレーム上に別途の作業床用フレームを設けた上で網目状板や縞付き板などを張ることで形成する場合がある。いずれの場合も、作業床のそれぞれの縁部両端に作業床貫通金具を設けることができる。
【００６５】
本発明に係る手摺枠と昇降式移動足場はこれらの知見に基づいて完成したものであり、本発明は次の(1)〜(9)の手摺枠および(10)の昇降式移動足場を要旨とする。
【００６６】
(1) 昇降式移動足場の作業床の縁部に立設される手摺枠であって、板状又は棒状の連結金具により縦方向に連結された下部手摺柱と上部手摺柱からなり、上部手摺柱は下部手摺柱の直上に自立可能であるとともに、上部手摺柱は下部手摺柱の上部近傍に水平方向に穿たれた下部手摺柱連結孔の中心軸回りに作業床側にのみ回転可能であり、下部手摺柱の上端部は上部手摺柱の作業床側への回転時に板状又は棒状の連結金具を収容できるだけの縦方向の切り欠き部を作業床側に有する手摺柱を備え、かつ、下部手摺柱は作業床の縁部両端に設けられた作業床貫通金具を通して上下方向に移動可能かつ所定高さ位置で固定可能であることを特徴とする、作業床上に折り畳むことができる手摺枠。
【００６７】
(2) 下部手摺柱連結孔には水平方向に下部連結ボルトが挿入されており、この下部連結ボルトに上部手摺柱と連結する板状又は棒状の連結金具が、下部手摺柱連結孔８１の中心軸回りで回転自在に連結されていることを特徴とする、上記(1)の手摺枠。
【００６８】
(3) 上部手摺柱は、その下端近傍に水平方向に穿たれた上部手摺柱連結孔を有し、かつ、水平方向に上部連結ボルトが挿入されており、この上部連結ボルトに下部手摺柱と連結する板状又は棒状の連結金具が、下部手摺柱連結孔８１の中心軸回りと上部手摺柱連結孔８２の中心軸回りの両方で回転自在に連結されていることを特徴とする、上記(1)または(2)の手摺枠。
【００６９】
(4) 上部手摺柱の自立状態を固定するための筒状又は断面コの字形状の固定スリーブを、下部手摺柱６２ａの上端部と上部手摺柱６２ｂの下端部の両端部近傍の外周に取り付けることを特徴とする、上記(1)〜(3)のいずれかの手摺枠。
【００７０】
(5) 固定スリーブは作業床とは反対側の下方に開口部を有することを特徴とする、上記(4)の手摺枠。
【００７１】
(6)   固定スリーブはその両側面に縦方向に長い長孔を２個上下方向に並べて備えており、下側の長孔と下部手摺柱連結孔とに水平方向に挿入された下部連結ボルトと、上側の長孔と上部手摺柱連結孔とに水平方向に挿入された上部連結ボルトによって、固定スリーブが下部手摺柱６２ａの上端部と上部手摺柱６２ｂの下端部の両端部近傍の外周に取り付けられていることを特徴とする、上記(4)又は(5)の手摺枠。
【００７２】
(7)固定スリーブの両側面の長孔の方向が斜め縦方向であることを特徴とする、上記(6)の手摺枠。
【００７３】
(8) 下部手摺柱は、作業床貫通金具を通して上下方向に移動後に所定高さ位置で固定するための固定金具を挿入する固定孔を有することを特徴とする、上記(1)〜(7)のいずれかの手摺枠。
【００７４】
(9) 巾木を下枠として備えることを特徴とする、上記(1)〜(8)のいずれかの手摺枠。
【００７５】
(10) 上記(1)〜(9)のいずれかの手摺枠を備えることを特徴とする、接地面に車輪を備えるとともに所定場所に移動かつ固定可能な矩形の基台フレームと、スライダークランクを介して伸縮自在に積み重ねられた複数段の水平フレームと、作業床フレームと、作業床を順に備える昇降式移動足場。
【発明の効果】
【００７６】
本発明に係る手摺枠は、昇降式移動足場での作業時には手摺枠を作業床の縁部の両側に立設固定することによって作業員の安全を図ることができる一方、昇降式移動足場の運搬時及び保管時には立設状態の一方の手摺枠の２本の下部手摺柱を下方に移動させ、所定位置で固定した後、２本の上部手摺柱を作業床側に９０゜回転させることで一方の手摺枠を作業床側へ折り畳み、そして、他方の手摺枠についても同様の操作を繰り返すことによって、両方の手摺枠を昇降式移動足場の本体に収納することができる。手摺部材を取り外す必要はないし、手摺枠の収納作業のスペースを格別に必要とするものではない。また、上部手摺枠が作業床と反対側に倒れかかることはないので、作業員の安全が図られる。よって、収納時の作業性と安全性に優れている。さらに、収納後の運搬時及び保管時の占有スペースをコンパクトにすることができる。
【図面の簡単な説明】
【００７７】
【図１】特許文献１で開示された技術に基づき実用化されている昇降式移動足場の一例であり、垂直方向に伸張した状態を示す。(a)が正面図、(b)が右側面図である。
【図２】図１の昇降式移動足場を垂直方向に折り畳んだ状態を示す。(a)が正面図、(b)が右側面図である。
【図３】特許文献１で開示された技術に基づき実用化されている昇降式移動足場の他の例であり、垂直方向に伸張した状態を示す。(a)が正面図、(b)が右側面図である。
【図４】特許文献２で開示された手摺枠を、図３で示される昇降式移動足場の手摺として取り付けたときの、作業時における実施態様を示す。(a)が正面図、(b)が右側面図である。
【図５】手摺枠（比較例）を外側に回転させて昇降式移動足場本体に横付けて収納する手順を示す説明図（右側面図）である。
【図６】手摺枠（比較例）の組み立てに大きな作業スペースが必要となることを示す説明図（右側面図）である。
【図７】手摺枠（比較例）の回転作業時に作業員９０が怪我をする事故が発生する恐れを示す右側面図である。
【図８】昇降式移動足場の作業床の縁部に立設された手摺枠（比較例）をその下枠を回転軸として、作業床側に回転させたときの状況を示す右側面図である。
【図９】上部手摺柱６２ｂを作業床側に折り畳んで収納することができる手摺枠（本発明）の一例である。(a)は右側面図、(b)は背面図を示す。
【図１０】図９における連結金具８０（図９(a)および(b)において円で囲まれた部分）の拡大図である。(a)は右側面図、(b)は背面図を示す。
【図１１】図９の手摺枠を図３で示される昇降式移動足場の作業床のそれぞれの縁部に巾木を介して取り付け、スライダークランクの全てを折り畳んだときの右側面図であり、立設状態の手摺枠が作業床側に折り畳まれる際の手順(A)〜(D)を示す。
【図１２】図１１における連結金具８０（図１１(B)および(C)の円で囲まれた部分）の右側面拡大図であり、上部手摺柱が(B)自立状態から(C)収納状態へと回転するときの推移を示す。
【図１３】本発明に係る手摺枠の一例を示す図である。(a)は正面図、(b)は右側面図、そして、(c)は背面図である。
【図１４】図１３で示された手摺枠を、巾木を介して、スライダークランクの全てを折り畳んだときの昇降式移動足場の作業床の縁部に取り付けるときの手順を示す正面図である。
【図１５】手摺枠６６を分解したときの上部手摺枠６６ｂを示す。(a)は右側面図、(b)は背面図である。
【図１６】手摺枠６６を分解したときの下部手摺柱６２ａを示す。(a)は右側面図、(b)は背面図である。
【図１７】図１６の下部手摺柱６２ａの上端部（図１６(a)および(b)において円で囲まれた部分）の拡大図であり、(a)は右側面図、(b)は背面図、(c)は平面図を示す。
【図１８】上部手摺枠６６ｂの上部手摺柱６２ｂと、下部手摺柱６２ａとを連結するときの手順を示す。(a)は右側面図、(b)は背面図である。
【図１９】上部手摺枠６６ｂの上部手摺柱６２ｂと、下部手摺柱６２ａとが連結金具８０により連結された状態を示す。(a)が正面図、(b)は右側面図、(c)は背面図である。
【図２０】図１９(b)における上部手摺柱６２ｂを、下部手摺柱連結孔８１の中心軸回りに右方向に回転する際の動きを示す右側面図である。
【図２１】上部手摺柱の自立状態を固定するための固定スリーブを、図１９で示された上下部の手摺柱の連結部に取り付けた状態を示す。(a)が正面図、(b)は右側面図、(c)は背面図である。
【図２２】固定スリーブの分解図であり、(a)が正面図、(b)は右側面図、(c)は背面図、(d)は平面図を示している。
【図２３】図２２の変形例（長孔の形状が異なる。）である。
【図２４】図２１で示された固定スリーブ８５を操作して、自立状態の上部手摺柱６２ｂを右回転させて作業床側に折り畳まれる際の手順(A)〜(D)を示す。いずれも、右側面拡大図である。
【図２５】本発明に係る巾木の一例を示す図である。(a)が正面図、(b)は右側面図、(c)は背面図、(d)は平面図である。
【図２６】本発明に係る作業床の一例を示す図である。(a)が正面図、(b)は右側面図、(c)は平面図である。
【図２７】作業床の縁部の両端に設けられる作業床貫通金具の一例（拡大正面図）である。
【図２８】作業床の縁部の両端に設けられる作業床貫通金具の他の例（拡大正面図）である。
【図２９】昇降式移動足場での作業終了時の手摺枠の状態を示している。(a)が正面図、(b)が右側面図である。
【図３０】昇降式移動足場での作業終了後に、妻面手摺として用いられていた手摺部材を上部手摺枠６６ｂに収納する作業を示している。(a)が正面図、(b)が右側面図である。
【図３１】作業床の手前側の手摺枠６６の下部手摺柱６２ａの高さ位置を変更するために、向かって左側の作業床貫通金具５７に取り付けられた固定金具によるロックを解除する作業を示している。(a)が正面図、(b)が右側面図である。(A)と(B)は作業床貫通金具５７（(a)の円で囲まれた部分）の拡大正面図であり、(A)が固定金具９４によるロックがされた状態を、そして、(B)がロックを解除した状態を示している。
【図３２】作業床の手前側の手摺枠６６の下部手摺柱６２ａの高さ位置を変更するために、向かって右側の作業床貫通金具５７に取り付けられた固定金具によるロックを解除する作業を示している。(a)が正面図、(b)が右側面図である。(A)と(B)は作業床貫通金具５７（(a)の円で囲まれた部分）の拡大正面図であり、(A)が固定金具９４によるロックがされた状態を、そして、(B)がロックを解除した状態を示している。
【図３３】作業床の手前側の手摺枠６６がその重みで下方に移動し、固定スリーブが巾木貫通金具の上端に接触したときの固定スリーブの動きを示している。(a)が正面図、(b)が右側面図である。(A)〜(C)は固定スリーブ（(b)の円で囲まれた部分）の周辺の拡大右側面図であり、固定スリーブの長孔内を下部連結ボルトと上部連結ボルトが下方に移動する動きを示している。
【図３４】固定スリーブのロックが外れて、上部手摺柱６２ｂが作業床側に右回転して折り畳まれるときの動きを示している。(a)が正面図、(b)が右側面図である。(A)〜(C)は固定スリーブの周辺の拡大右側面図であり、上部手摺柱６２ｂと固定スリーブが右回転する動きを示している。
【図３５】作業床の向こう側の手摺枠６６について、同様の作業を繰り返して、上部手摺柱を９０゜左回転して、作業床側に折り畳んだときの状態を示している。(a)が正面図、(b)が右側面図である。(A)は短手巾木６４ｂの周辺の拡大右側面図である。
【発明を実施するための形態】
【００７８】
以下、図面を用いて、本発明に係る手摺枠および昇降式移動足場について説明する。
【００７９】
（１）手摺枠について
図１３は、本発明に係る手摺枠の一例を示す図である。(a)は正面図、(b)は右側面図、そして、(c)は背面図である。
【００８０】
この手摺枠６６は、下部手摺柱６２ａと上部手摺柱６２ｂが板状の連結金具８０により縦方向に連結されてなる手摺柱６２の左右２本と、左右２本の上部手摺柱６２ｂの間を水平に連結する２本の手摺バー６３から平面状に形成されている。別の言い方をすれば、この手摺枠６６は、左右２本の上部手摺柱６２ｂとこれらの間を水平に連結する２本の手摺バー６３から平面状に形成された上部手摺枠６６ｂと、２本の上部手摺柱６２ｂの直下に連結金具８０により縦方向に連結されてなる左右２本の下部手摺柱６２ａから平面状に形成されている。２本の下部手摺柱６２ａの下端近傍には、下部手摺柱６２ａを上下方向に移動後に所定高さ位置で固定するための固定金具を挿入する固定孔９５を有している。
【００８１】
上部手摺枠６６ｂにはその同一面内に手摺部材（妻面手摺部材）６５が収納されており、手摺枠６６を作業床の縁部に立設後、横方向に９０゜回転して引き出した後、対向して立設される手摺枠６６の上部手摺柱６２ｂに留めることで、作業床の両端部の上方に妻面手摺が設けられることになる。
【００８２】
図１４は、図１３で示された手摺枠を、巾木を介して、スライダークランクの全てを折り畳んだときの昇降式移動足場の作業床の縁部に取り付けるときの手順を示す正面図である。
【００８３】
作業床貫通金具５７が両端に設けられた作業床の縁部に、作業床貫通金具５７の設置間隔と同じ長さを有し両端には巾木貫通金具５８が設けられた長手巾木６４ａを取り付けた後、下部手摺柱６２ａのそれぞれを長手巾木６４ａの両端に設けられた巾木貫通金具５８と、作業床の縁部両端に設けられた作業床貫通金具５７に通すことによって、手摺枠６６を作業床の縁部に立設することができる。ここで、作業床の縁部５６ａに取り付けられる長手巾木は手摺枠６６の下枠としても機能することになる。
【００８４】
（２）上部手摺枠と下部手摺柱の連結部について
図１５および図１６は、手摺枠から連結金具を外し、上部手摺枠６６ｂと、左右２本の下部手摺柱６２ａとに分解したときの上部手摺枠６６ｂおよび下部手摺柱６２ａをそれぞれ示す。(a)が右側面図、(b)が背面図である。そして、図１７は図１６の下部手摺柱６２ａの上端部（図１６(a)および(b)において円で囲まれた部分）の拡大図であり、(a)が右側面図、(b)が背面図、(c)が平面図を示す。
【００８５】
上部手摺枠６６ｂの上部手摺柱６２ｂを作業床側にのみ回転可能とするために、下部手摺柱６２ａの上部近傍には下部手摺柱連結孔８１が水平方向に穿たれているとともに、
下部手摺柱６２ａの上端部には上部手摺柱６２ｂを作業床側へ回転するときに、板状又は棒状の連結金具８０を収容できるだけの縦方向の切り欠き部８３が作業床側に設けられている。下部手摺柱６２ａの下端近傍の固定孔９５は、下部手摺柱６２ａを上下方向に移動後に所定高さ位置で固定するための固定金具を挿入するために穿たれている。
【００８６】
（３）連結金具について
図１８は、上部手摺枠の上部手摺柱６２ｂと、下部手摺柱６２ａとを連結するときの手順を示す。(a)が右側面図であり、(b)が背面図である。そして、図１９は上部手摺枠６６ｂの上部手摺柱６２ｂと、下部手摺柱６２ａとが連結金具８０により連結された状態を示す。(a)が正面図、(b)が右側面図、(c)が背面図である。
【００８７】
連結金具８０は、下部手摺柱６２ａの上端近傍に水平方向に穿たれた下部手摺柱連結孔８１に水平方向に挿入された下部連結ボルト８４ａと、上部手摺柱６２ｂの下端近傍に水平方向に穿たれた上部手摺柱連結孔８２に水平方向に挿入された上部連結ボルト８４ｂとの間を、下部手摺柱連結孔８１の中心軸回りと上部手摺柱連結孔８２の中心軸回りの両方で回転自在に連結している。連結金具８０は板状であって、その幅は、上部手摺柱６２ｂを作業床側へ回転するときに板状の連結金具８０を収容できるように、下部手摺柱６２ａの上端部に設けられた縦方向の切り欠き部８３の幅より小さく設定されている。なお、ここでは、連結金具８０は、少なくとも下部手摺柱連結孔８１の中心軸回りで回転自在に連結していればよく、上部手摺柱連結孔８２に関しては回転自在でなくても良く、たとえば、溶接で固定連結しても構わない。
【００８８】
図２０は、図１９(b)における上部手摺柱６２ｂを、下部手摺柱連結孔８１の中心軸回りに右方向に回転する際の動きを示す右側面図である。
【００８９】
下部手摺柱６２ａの上端部には、板状の連結金具８０が下部手摺柱連結孔８１の中心軸回りに９０゜まで右回転できるように、板状の連結金具８０を受容できる縦方向の切り欠き部８３が作業床側の側面にのみ設けてある。下部手摺柱６２ａの上端部には、作業床とは反対側には切り欠き部が存在しないので、作業床の反対側には回転できない。なお、上部手摺柱６２ｂは上部手摺柱連結孔８２の中心軸回りに回転できるので、上部手摺柱６２ｂは下部手摺柱６２ａに対して９０゜を超えて回転することができる。
【００９０】
（４）固定スリーブについて
図２１は、上部手摺柱の自立状態を固定するための固定スリーブを、図１９で示された上下部の手摺柱の連結部に取り付けた状態を示す。(a)が正面図、(b)が右側面図、(c)が背面図である。図２２は、固定スリーブ本体の図であり、(a)が正面図、(b)が右側面図、(c)が背面図、(d)が平面図を示している。図２３は、図２２の変形例（長孔の形状が異なる。）である。
【００９１】
この固定スリーブ８５は、下部手摺柱６２ａの上端部と上部手摺柱６２ｂの下端部の両端部近傍の外周に取り付けられているが、作業床とは反対側の下方には下向きの開口部８８が設けられている。固定スリーブ８５が下部手摺柱６２ａと上部手摺柱６２ｂの連結部の下方位置にあって、開口部８８の上端が下部手摺柱６２ａの上端より下方に位置するときは、上部手摺柱６２ｂは固定スリーブ８５にロックされて回転できない。よって、上部手摺柱６２ｂの自立状態を固定することができる。ここでは、固定スリーブ８５は、その側面のそれぞれに斜め縦方向に長い長孔を２個上下方向に並べて備えており、下側の長孔８６ａと下部手摺柱連結孔とに水平方向に挿入された下部連結ボルト８４ａと、上側の長孔８６ｂと上部手摺柱連結孔とに水平方向に挿入された上部連結ボルト８４ｂによって、固定スリーブ８５が下部手摺柱６２ａの上端部と上部手摺柱６２ｂの下端部の両端部近傍の外周に取り付けられている。なお、側面の長孔８６は縦方向（図２３参照）でもよいが、斜め縦方向にすると上部手摺柱６２ｂのがたつきをなくすことができるので斜め縦方向に設けるのが好ましい。
【００９２】
固定スリーブ８５を下部手摺柱６２ａと上部手摺柱６２ｂの連結部の上方へ移動させ、固定スリーブ８５の開口部８８の上端が下部手摺柱の上端部を超える位置までくると、上部手摺柱６２ｂは固定スリーブ８５によるロックが外れて右回転できるようになる。よって、上部手摺枠６６ｂを作業床側に折り畳むことが可能となる。
【００９３】
図２４は、図２１で示された固定スリーブ８５を操作して、自立状態の上部手摺柱６２ｂを右回転させて作業床側に折り畳まれる際の手順(A)〜(D)を示す。いずれも右側面拡大図である。
【００９４】
図２４(A)は、固定スリーブ８５が下部手摺柱６２ａと上部手摺柱６２ｂの連結部の下方位置にあって、開口部８８の上端が下部手摺柱６２ａの上端より下方に位置しているので、上部手摺柱６２ｂは固定スリーブ８５にロックされて回転できない。よって、上部手摺柱６２ｂは下部手摺柱６２ａの直上に自立したままである。
【００９５】
図２４(B)は、固定スリーブ８５を少し上方の位置へ移動させたときの図である。このときも、開口部８８の上端が下部手摺柱６２ａの上端より下方に位置しているので、上部手摺柱６２ｂは固定スリーブ８５にロックされて回転できない。上部手摺柱６２ｂは右方向に少し傾くが、右回転には至らないので、上部手摺柱６２ｂは下部手摺柱６２ａの直上に自立したままである。
【００９６】
図２４(C)は、固定スリーブ８５をさらに上方へ移動させたときの図である。ここまでくると、開口部８８の上端が下部手摺柱６２ａの上端を超える位置になるので、ロックが外れて、上部手摺柱６２ｂは右方向への回転が始まる。このとき、固定スリーブ８５が下部連結ボルト８４ａの軸回りに右回転する。
【００９７】
図２４(D)は、固定スリーブ８５が下部手摺柱６２ａに対して９０゜右回転し、上部手摺柱６２ｂもまた下部手摺柱６２ａに対して９０゜右回転したときの図である。固定スリーブ８５は、下部手摺柱６２ａの上端部の右側（作業床側）に設けられた切り欠き部８３の下端が存在するので、９０゜右回転した位置で止まるが、上部手摺柱６２ｂは下部手摺柱６２ａに対して９０゜を超えて回転することができる。
【００９８】
（５）巾木と巾木貫通金具について
図２５は、本発明に係る巾木の一例を示す図である。(a)は正面図、(b)は右側面図、(c)は背面図、(d)は平面図である。
【００９９】
作業床の縁部５６ａのそれぞれに、両端に巾木貫通金具５８と巾木固定金具５９が取り付けられた長手巾木６４ａを設置し、そして、作業床の端部５６ｂのそれぞれには、対向する長手巾木６４ａの両端に取り付けられた巾木固定金具５９の間に嵌め込むことによって短手巾木６４ｂが設置されている。ここで、巾木貫通金具の高さが対向する長手巾木６４ａの高さとは上部手摺柱の幅の分だけ異なっている。これは、一方の上部手摺柱を作業床側に回転させたときに短手巾木６４ｂの上に折り畳まれ、次に他方の上部手摺柱を作業床側に回転させたときは、その折り畳まれた一方の上部手摺柱の上に、他方の上部手摺柱が折り畳まれることになるが、巾木貫通金具を同じ高さにすると干渉が生じてうまく収納ができなくなる恐れがあるからである。
【０１００】
（６）作業床と作業床貫通金具について
図２６は、本発明に係る作業床の一例を示す図である。(a)は正面図、(b)は右側面図、(c)は平面図である。
【０１０１】
作業床５６は、作業床の縁部５６ａの２つのフレームと端部５６ｂのフレームの２つの上に網目状板を張ることによって形成されている。そして、作業床のそれぞれの縁部の両端に、下部手摺柱６２ａを通すための作業床貫通金具５７が設けられている。
【０１０２】
図２７と図２８に、作業床の縁部の両端に設けられる作業床貫通金具の例（拡大正面図）を２つ示す。図２７はバネ付きの固定金具を備える例であり、図２８はピン形状の固定金具を備える例である。
【０１０３】
この作業床貫通金具５７は、下部手摺柱を上下方向に移動後に所定高さ位置で固定するためのものであって、作業貫通金具５７に通された下部手摺柱と作業床貫通金具５７のそれぞれに穿たれた固定孔の両方に、固定金具９４を同時に挿入することによってロックすることで、下部手摺柱を所定高さ位置に固定することができる。
【０１０４】
図２７のバネ付き固定金具９４は作業床貫通金具５７の側面に取り付けられたものであって、バネ９６で付勢されているから、固定金具９４のロックを解除し、固定孔から引き出した後に、手を離しただけで固定金具９４を作業床貫通金具５７に挿入することができる。図２８の固定金具９４はピン形状であるから、バネの付勢力はないが、作業床貫通金具５７の側面に取り付ける必要はない。
【０１０５】
（７）手摺枠の収納手順について
図２９〜図３５に、本発明に係る手摺枠が昇降式移動足場の作業床上に立設された状態から折り畳まれて収納された状態に至るまでの手順を示す。
【０１０６】
図２９は、昇降式移動足場での作業終了時の手摺枠の状態を示している。(a)が正面図、(b)が右側面図である。
【０１０７】
２つの手摺枠６６の下部手摺柱６２ａが、それぞれ、長手巾木６４ａの両端に取り付けられた巾木貫通金具５８を介して、作業床の縁部５６ａの両端に設けられた作業床貫通金具５７に通されて、作業時の手摺枠としての高さ位置で固定されている。作業床の端部５６ｂには、長手巾木６４ａの両端の外面に取り付けられた巾木固定金具５９の間に短手巾木６４ｂが嵌め込まれており、また、上部手摺枠６６ｂに収納されていた手摺部材６５が引き出されて妻面手摺として機能している。
【０１０８】
図３０は、昇降式移動足場での作業終了後に、妻面手摺として用いられていた手摺部材６５を上部手摺枠６６ｂに収納する作業を示している。(a)が正面図、(b)が右側面図である。
【０１０９】
図３１は、作業床の手前側の手摺枠６６の下部手摺柱６２ａの高さ位置を変更するために、向かって左側の作業床貫通金具５７に取り付けられた固定金具によるロックを解除する作業を示している。(a)が正面図、(b)が右側面図である。(A)と(B)は作業床貫通金具５７（(a)の円で囲まれた部分）の拡大正面図であり、(A)が固定金具９４によるロックがされた状態を、そして、(B)がロックを解除した状態を示している。
【０１１０】
向かって左側の固定金具によるロックを解除することにより、向かって左側の作業床貫通金具５７に取り付けられた下部手摺柱６２ａはある程度下方に移動するだけである。これは、上部手摺枠６６ｂがその形状を保っているからである。
【０１１１】
図３２は、作業床の手前側の手摺枠６６の下部手摺柱６２ａの高さ位置を変更するために、向かって右側の作業床貫通金具５７に取り付けられた固定金具によるロックを解除する作業を示している。(a)が正面図、(b)が右側面図である。(A)と(B)は作業床貫通金具５７（(a)の円で囲まれた部分）の拡大正面図であり、(A)が固定金具９４によるロックがされた状態を、そして、(B)がロックを解除した状態を示している。
【０１１２】
向かって右側の固定金具によるロックを解除することにより、左右両側の下部手摺柱６２ａを下方に移動させることができ、もって、手摺枠６６の全体を下方に移動させることができる。
【０１１３】
図３３は、作業床の手前側の手摺枠６６がその重みで下方に移動し、固定スリーブが巾木貫通金具の上端に接触したときの固定スリーブの動きを示している。(a)が正面図、(b)が右側面図である。(A)〜(C)は固定スリーブ（(b)の円で囲まれた部分）の周辺の拡大図であり、固定スリーブの長孔内を下部連結ボルトと上部連結ボルトが下方に移動する動きを示している。
【０１１４】
手摺枠６６がその重みで下方に移動し、固定スリーブ８５が巾木貫通金具５８の上端に接触すると、その後も手摺枠６６は固定スリーブ８５だけを巾木貫通金具５８の上端に残したまま、さらに下方へ移動し続けるので、固定スリーブの長孔８６の中を下部連結ボルト８４ａと上部連結ボルト８４ｂが下方に移動する。そして、下部連結ボルトと上部連結ボルトが長孔８６の下端に着地することで、手摺枠６６の下方への移動は止まる。
【０１１５】
図３４は、固定スリーブ８５のロックが外れて、上部手摺柱６２ｂが作業床側に右回転して折り畳まれるときの動きを示している。(a)が正面図、(b)が右側面図である。(A)〜(C)は固定スリーブの周辺の拡大図であり、上部手摺柱６２ｂと固定スリーブが右回転する動きを示している。
【０１１６】
固定スリーブ８５の開口部８８の上端が下部手摺柱６２ａの上端を超える位置になると、固定スリーブのロックが外れて、上部手摺柱６２ｂの右方向への回転が始まるとともに、固定スリーブ８５もまた下部連結ボルト８４ａの軸回りに右回転する。そして、９０゜右回転したとき、固定スリーブ８５は下部手摺柱の切り欠き部８３の下端が存在するので９０゜右回転した位置で止まり、上部手摺柱６２ｂは短手巾木６４ｂの上に折り畳まれる。
【０１１７】
図３５は、作業床の向こう側の手摺枠６６について、同様の作業を繰り返して、上部手摺柱を９０゜左回転して、作業床側に折り畳んだときの状態を示している。(a)が正面図、(b)が右側面図である。(A)は短手巾木６４ｂの周辺の拡大図である。
【０１１８】
作業床の手前側の手摺枠の上部手摺柱６２ｂが短手巾木６４ｂの上に折り畳まれたその上に、作業床の向こう側の手摺枠の上部手摺柱６２ｂが折り畳まれたことによって、２つの手摺枠が昇降式足場の本体２０１ａの上に収納されたことになる。ここで、左右の巾木貫通金具５８の高さが上部手摺柱６２ｂの幅の分だけ異なっている。これは、一方の上部手摺柱６２ｂを作業床側に回転させたときに短手巾木６４ｂの上に折り畳まれ、次に他方の上部手摺柱６２ｂを作業床側に回転させたときは、その折り畳まれた一方の上部手摺柱の上に、他方の上部手摺柱６２ｂが折り畳まれることになるが、巾木貫通金具５８を同じ高さにすると干渉が生じてうまく収納ができなくなる恐れがあるからである。
【産業上の利用可能性】
【０１１９】
本発明によれば、作業後に手摺を作業台から取り外す必要がなく、その作業性と安全性に優れる降式移動足場を提供することができる。また、本発明に係る昇降式移動足場は手摺を作業台から取り外さなくてもコンパクトになるから、運搬時及び保管時の占有スペースを小さくすることができる。運搬時及び保管時の占有スペースをコンパクトにすることができる。
【符号の説明】
【０１２０】
５  基体フレーム
６  ブレーキロック付き車輪
７  基体フレームの支柱
４０  水平フレーム
４１  水平フレームの横部材
５０  Ｘ字形のスライダークランク
５１  ピン
５２  留め具
５６  作業床
５６ａ  作業床の縁部
５６ｂ  作業床の端部
５７  作業床貫通金具
５８  巾木貫通金具
５９  巾木固定金具
６０  作業台
６２  手摺柱
６２ａ  下部手摺柱
６２ｂ  上部手摺柱
６３  手摺バー
６４  巾木
６４ａ  作業床の縁部の巾木（長手巾木）
６４ｂ  作業床の端部の巾木（短手巾木）
６５  手摺部材（妻面手摺部材）
６６  手摺枠
６６ｂ  上部手摺枠
６８  回転軸
６９  フレーム間の支柱（昇降用タラップ）
７０  フレーム間の支柱の長材
７１  フレーム間の支柱の横材
７５  ジャッキベース
７６  アウトリガー
８０  連結金具
８０ａ  連結金具下部連結孔
８０ｂ  連結金具上部連結孔
８１  下部手摺柱連結孔
８２  上部手摺柱連結孔
８３  切り欠き部
８４  連結ボルト
８４ａ  下部連結ボルト
８４ｂ  上部連結ボルト
８５  固定スリーブ
８６  固定スリーブ長孔
８６ａ  固定スリーブ下部長孔
８６ｂ  固定スリーブ上部長孔
８８  固定スリーブ開口部
９０  作業員
９４  固定金具
９５  固定孔
９６  バネ
２００  昇降式移動足場
２０１ａ  昇降式移動足場本体
【図１】
0006717620.tif 000002
【図２】
0006717620.tif 000003
【図３】
0006717620.tif 000004
【図４】
0006717620.tif 000005
【図５】
0006717620.tif 000006
【図６】
0006717620.tif 000007
【図７】
0006717620.tif 000008
【図８】
0006717620.tif 000009
【図９】
0006717620.tif 000010
【図１０】
0006717620.tif 000011
【図１１】
0006717620.tif 000012
【図１２】
0006717620.tif 000013
【図１３】
0006717620.tif 000014
【図１４】
0006717620.tif 000015
【図１５】
0006717620.tif 000016
【図１６】
0006717620.tif 000017
【図１７】
0006717620.tif 000018
【図１８】
0006717620.tif 000019
【図１９】
0006717620.tif 000020
【図２０】
0006717620.tif 000021
【図２１】
0006717620.tif 000022
【図２２】
0006717620.tif 000023
【図２３】
0006717620.tif 000024
【図２４】
0006717620.tif 000025
【図２５】
0006717620.tif 000026
【図２６】
0006717620.tif 000027
【図２７】
0006717620.tif 000028
【図２８】
0006717620.tif 000029
【図２９】
0006717620.tif 000030
【図３０】
0006717620.tif 000031
【図３１】
0006717620.tif 000032
【図３２】
0006717620.tif 000033
【図３３】
0006717620.tif 000034
【図３４】
0006717620.tif 000035
【図３５】
0006717620.tif 000036